(57)【要約】【課題】回路基板に実装された素子の絶縁性を確保する絶縁カバーを、ケースに対して安定的に取り付ける。【解決手段】電源装置１は、ケース２と回路基板３と絶縁カバー４を備える。ケース２は、底壁２０と第一側壁２１と第二側壁２２を有し、底壁２０と対向する位置に開口２９が形成される。回路基板３は、点灯回路を構成する複数の素子３５が実装された回路基板であり、ケース２に収容される。絶縁カバー４は、回路基板３を覆うようにケース２に取り付けられる。第一側壁２１は、第一規制部５１を有する。第一規制部５１は、絶縁カバー４に引っ掛かることで、絶縁カバー４が底壁２０に沿って移動することを規制する。第二側壁２２は、第二規制部５２を有する。第二規制部５２は、絶縁カバー４に引っ掛かることで、絶縁カバー４が底壁２０に沿って移動することを規制する。【選択図】図３
2020021614.tif 000002
【特許請求の範囲】
【請求項１】
底壁と、前記底壁の端部から延長された第一側壁と、前記底壁の前記端部とは反対側の端部から延長された第二側壁とを有し、前記底壁と対向する位置に開口が形成されたケースと、
点灯回路を構成する複数の素子が実装され、前記ケースに収容される回路基板と、
前記回路基板の前記開口を向く面を覆うように、前記ケースに取り付けられる絶縁カバーと、を備え、
前記第一側壁は、前記絶縁カバーに引っ掛かることで前記絶縁カバーが前記底壁に沿って移動することを規制する第一規制部を有し、
前記第二側壁は、前記絶縁カバーに引っ掛かることで前記絶縁カバーが前記底壁に沿って移動することを規制する第二規制部を有する
電源装置。
【請求項２】
前記第一規制部は、前記第一側壁から前記ケースの内側に向けて突出し、
前記第二規制部は、前記第二側壁から前記ケースの内側に向けて突出する
請求項１の電源装置。
【請求項３】
前記第一規制部は、前記第一側壁の一部が前記ケースの内側に向けて切り起こされた形状の突片であり、
前記第二規制部は、前記第二側壁の一部が前記ケースの内側に向けて切り起こされた形状の突片である
請求項２の電源装置。
【請求項４】
前記第一規制部は、前記第一側壁の一部が前記ケースの内側に向けて押し出された形状のブリッジ片であり、
前記第二規制部は、前記第二側壁の一部が前記ケースの内側に向けて押し出された形状のブリッジ片である
請求項２の電源装置。
【請求項５】
前記第一側壁は、前記第一規制部を少なくとも一つ有し、
前記第二側壁は、前記第二規制部を少なくとも一つ有し、
前記第一規制部の個数と、前記第二規制部の個数は、互いに相違する
請求項１から４のいずれか一項の電源装置。
【請求項６】
請求項１から５のいずれか一項の電源装置と、
前記電源装置からの電力供給で点灯する光源ユニットと、
前記電源装置と前記光源ユニットを支持する器具本体と、を備える
照明器具。
【発明の詳細な説明】
【技術分野】
【０００１】
本発明は、電源装置とこれを備えた照明器具に関する。
【背景技術】
【０００２】
電源装置と光源ユニットと器具本体を備える照明器具が、従来公知である(例えば特許文献１等参照)。電源装置は、光源ユニットを点灯させるための電力を供給する回路基板と、この回路基板を収容するケースを備える。
【先行技術文献】
【特許文献】
【０００３】
【特許文献１】特開２０１４−０７８５１２号公報
【発明の概要】
【発明が解決しようとする課題】
【０００４】
上記した照明器具の電源装置においては、回路基板に実装された複数の素子と周囲との間の電気的な絶縁性を確保するために、絶縁カバーをケースに取り付けることが好ましい。
【０００５】
本発明は、回路基板に実装された素子の絶縁性を確保する絶縁カバーを、ケースに対して安定的に取り付けることのできる電源装置と、これを備えた照明器具を提案することを、目的とする。
【課題を解決するための手段】
【０００６】
一態様に係る電源装置は、ケースと、回路基板と、絶縁カバーと、を備える。前記ケースは、底壁と、前記底壁の端部から延長された第一側壁と、前記底壁の前記端部とは反対側の端部から延長された第二側壁とを有し、前記底壁と対向する位置に開口が形成される。前記回路基板は、点灯回路を構成する複数の素子が実装され、前記ケースに収容される。前記絶縁カバーは、前記回路基板の前記開口を向く面を覆うように、前記ケースに取り付けられる。前記第一側壁は、前記絶縁カバーに引っ掛かることで前記絶縁カバーが前記底壁に沿って移動することを規制する第一規制部を有する。前記第二側壁は、前記絶縁カバーに引っ掛かることで前記絶縁カバーが前記底壁に沿って移動することを規制する第二規制部を有する。
【０００７】
一態様に係る照明器具は、前記電源装置と、前記電源装置からの電力供給で点灯する光源ユニットと、前記電源装置と前記光源ユニットを支持する器具本体と、を備える。
【発明の効果】
【０００８】
本発明は、回路基板に実装された素子の絶縁性を確保する絶縁カバーを、ケースに対して安定的に取り付けることができるという効果を奏する。
【図面の簡単な説明】
【０００９】
【図１】図１は、一実施形態の照明器具を示す斜視図である。
【図２】図２は、同上の照明器具が備える光源ユニットと電源装置を示す斜視図である。
【図３】図３は、同上の電源装置を示す分解斜視図である。
【図４】図４は、同上の電源装置が備える回路基板と絶縁カバーを示す斜視図である。
【図５】図５は、図４のＰ部拡大図である。
【図６】図６Ａは、同上の電源装置の変形例１が備えるケースを示す平面図であり、図６Ｂは、図６ＡのＱ部拡大図である。
【発明を実施するための形態】
【００１０】
（一実施形態）
図１には、一実施形態の照明器具９を示している。
【００１１】
照明器具９は、電源装置１、光源ユニット９２及び器具本体９４を備える。
【００１２】
電源装置１は、光源ユニット９２に対して点灯用の電力を供給するように構成されている。電源装置１の詳細な構造については後述する。
【００１３】
光源ユニット９２は、図２に示すように、複数のＬＥＤパッケージ９２１と、これら複数のＬＥＤパッケージ９２１が実装されたプリント配線板９２３と、プリント配線板９２３が固定されたベース部材９２５と、透光性のカバー９２７を備える。カバー９２７は、透光性を有する合成樹脂（例えばアクリル樹脂又はポリカーボネート樹脂）を用いて形成されている。
【００１４】
複数のＬＥＤパッケージ９２１、プリント配線板９２３及びベース部材９２５は、一体に設けられている。カバー９２７は、複数のＬＥＤパッケージ９２１を覆うように、ベース部材９２５に対して着脱自在に取り付けられる。
【００１５】
器具本体９４は、光源ユニット９２と電源装置１を支持するように構成されている。器具本体９４は、例えば金属板を曲げ加工することにより、一方向に細長く形成されている。器具本体９４の一面側に電源装置１と光源ユニット９２が支持された状態において、電源装置１は、光源ユニット９２に隠れる位置にある。
【００１６】
一実施形態の電源装置１の詳細な構造について、図３と図４に基づいて説明する。図３は電源装置１の分解斜視図である。図４には電源装置１の要部を示している。
【００１７】
以下の説明では、第一方向Ｄ１、第二方向Ｄ２及び第三方向Ｄ３を用いる。第一方向Ｄ１、第二方向Ｄ２及び第三方向Ｄ３は、それぞれが残りの２方向と直交する方向である。
【００１８】
電源装置１は、矩形箱型の外形を有する（図２参照）。第一方向Ｄ１は電源装置１の幅方向に相当し、第二方向Ｄ２は電源装置１の長さ方向に相当し、第三方向Ｄ３は電源装置１の高さ方向に相当する。図３等において、第三方向Ｄ３の一方の側が上側であり、第三方向Ｄ３の他方の側が下側である。
【００１９】
図３に示すように、電源装置１は、板金に曲げ加工を施すことで断面Ｕ字状に形成されたケース２と、ケース２に収容される回路基板３と、同じくケース２に収容される放熱部材６と、回路基板３を覆うようにケース２に取り付けられる絶縁カバー４を備える。電源装置１は更に、回路基板３をケース２に固定するための固定具７を備える。
【００２０】
まず、ケース２について説明する。
【００２１】
ケース２は、第二方向Ｄ２に長い矩形状の底壁２０と、底壁２０の第一方向Ｄ１の第一端部から図３の上側に延長された第一側壁２１と、底壁２０の第一方向Ｄ１の第二端部から上側に延長された第二側壁２２を有する。
【００２２】
底壁２０の第一方向Ｄ１の第一端部と第二端部は、第一方向Ｄ１において互いに反対側に位置する。第一側壁２１と第二側壁２２は、互いに平行である。本文中で用いる平行の文言は、厳密な意味での平行に限定されず、略平行な場合も含む。
【００２３】
ケース２は更に、底壁２０の第二方向Ｄ２の第一端部から、図３の上側に延長された第三側壁２３と、底壁２０の第二方向Ｄ２の第二端部から上側に延長された第四側壁２４を有する。
【００２４】
底壁２０の第二方向Ｄ２の第一端部と第二端部は、第二方向Ｄ２において互いに反対側に位置する。第三側壁２３と第四側壁２４は、互いに平行である。
【００２５】
ケース２は、底壁２０と対向する位置に、開口２９を有する。ケース２の底壁２０、第一側壁２１、第二側壁２２、第三側壁２３及び第四側壁２４に囲まれた収容空間は、開口２９を通じて外部に開放される。
【００２６】
次に、回路基板３について説明する。
【００２７】
回路基板３は、第二方向Ｄ２に長い矩形状のプリント基板である。回路基板３は、第三方向Ｄ３において互いに反対側を向く一対の面３１，３２を有する。以下においては、一対の面３１，３２のうち、図３の上側を向く面３１を第一面３１と称し、図３の下側を向く面３２を第二面３２と称する。
【００２８】
回路基板３の第一面３１には、点灯回路を形成する複数の素子３５が、実装されている。回路基板３がケース２に収容された状態において、回路基板３は、第一面３１が開口２９側を向き、かつ第二面３２が底壁２０側を向く姿勢となる。
【００２９】
次に、放熱部材６について説明する。
【００３０】
放熱部材６は、空気よりも熱伝導率が高く、かつ弾性を有する部材である。放熱部材６は、第二方向Ｄ２に長い板状の外形を有する。放熱部材６は、例えばシリコーン樹脂を用いて形成される。
【００３１】
放熱部材６は、回路基板３の第二面３２に対向する姿勢で、ケース２に収容される。放熱部材６と回路基板３は、ケース２に収容された状態で、互いに平行に位置する。
【００３２】
ケース２内において、放熱部材６が回路基板３の第二面３２に対して直接的に又は間接的に接触することで、回路基板３からの発熱は、放熱部材６を介して効率的に放熱される。
【００３３】
次に、絶縁カバー４について説明する。
【００３４】
絶縁カバー４は、回路基板３の第一面３１を覆うようにケース２に取り付けられる第一絶縁カバー４１と、回路基板３の第二面３２を覆うようにケース２に取り付けられる第二絶縁カバー４２を含む。
【００３５】
第一絶縁カバー４１と第二絶縁カバー４２は共に、電気絶縁性を有する材料（例えば樹脂）を用いて、断面Ｕ字状に形成されている。
【００３６】
第一絶縁カバー４１は、第二方向Ｄ２に長い矩形状の中央板４１０と、中央板４１０から延長された第一側板４１１と、中央板４１０から延長された第二側板４１２を有する。第一側板４１１は、中央板４１０の第一方向Ｄ１の第一端部から、図３の下側に延長されている。第二側板４１２は、中央板４１０の第一方向Ｄ１の第二端部から下側に延長されている。
【００３７】
中央板４１０の第一方向Ｄ１の第一端部と第二端部は、第一方向Ｄ１において互いに反対側に位置する。第一側板４１１と第二側板４１２は、互いに平行である。第一絶縁カバー４１は、中央板４１０と対向する位置（中央板４１０よりも下側の位置）に、開口４１９を有する。
【００３８】
第二絶縁カバー４２は、第二方向Ｄ２に長い矩形状の中央板４２０と、中央板４２０から延長された第一側板４２１と、中央板４２０から延長された第二側板４２２を有する。第一側板４２１は、中央板４２０の第一方向Ｄ１の第一端部から、図３の上側に延長されている。第二側板４２２は、中央板４２０の第一方向Ｄ１の第二端部から上側に延長されている。
【００３９】
中央板４２０の第一方向Ｄ１の第一端部と第二端部は、第一方向Ｄ１において互いに反対側に位置する。第一側板４２１と第二側板４２２は、互いに平行である。第二絶縁カバー４２は、中央板４２０と対向する位置（中央板４２０よりも上側の位置）に、開口４２９を有する。
【００４０】
上記の第一絶縁カバー４１と第二絶縁カバー４２が組み合わさることで、箱型の絶縁カバー４が形成される（図４参照）。この状態で、第一絶縁カバー４１の第一側板４１１と、第二絶縁カバー４２の第一側板４２１が、第一方向Ｄ１において互いに重なって位置する。同様に、第一絶縁カバー４１の第二側板４１２と、第二絶縁カバー４２の第二側板４２２が、第一方向Ｄ１において互いに重なって位置する。
【００４１】
絶縁カバー４（つまり第一絶縁カバー４１及び第二絶縁カバー４２）が、回路基板３の第一方向Ｄ１の両側を覆い、かつ回路基板３の第三方向Ｄ３の両側を覆うことで、回路基板３に実装された複数の素子３５の絶縁性が確保される。複数の素子３５の絶縁性は、すなわち、複数の素子３５とケース２の間の絶縁性であり、また、複数の素子３５と器具本体９４の間の絶縁性である。
【００４２】
次に、ケース２に対して絶縁カバー４を取り付けるための構造について、説明する。
【００４３】
まず、ケース２の第一側壁２１に対して、絶縁カバー４（第一絶縁カバー４１及び第二絶縁カバー４２）を取り付けるための構造について説明する。
【００４４】
第一側壁２１には、複数の突片５１１と、複数の突片５１３が形成されている。突片５１１と突片５１３は、それぞれケース２の内側に向けて切り起こされる部分である（図５参照）。
【００４５】
これらの突片５１１，５１３のそれぞれが、第一側壁２１に対する絶縁カバー４の移動を規制する第一規制部５１を構成する。第一規制部５１は、第一側壁２１のうち、底壁２０に近い端部と底壁１０から遠い端部を除いた領域に、形成される。
【００４６】
一実施形態においては、第一側壁２１のうち第二方向Ｄ２に距離をあけた二箇所において、突片５１１と突片５１３が形成されている。第一側壁２１の各箇所では、Ｅ字状の貫通溝２１５を設けることで、突片５１１と突片５１３が第三方向Ｄ３に距離をあけて並ぶように形成されている。
【００４７】
第二方向Ｄ２に距離をあけて位置する二つの突片５１１の関係において、両突片５１１は、互いに離れる方向に突出している。第二方向Ｄ２に距離をあけて位置する二つの突片５１３の関係において、両突片５１３は、互いに離れる方向に突出している。
【００４８】
各箇所の突片５１１は、ケース２の内側に向けて折られることで、第一絶縁カバー４１に引っ掛かり、第一絶縁カバー４１の移動を規制するように構成されている。
【００４９】
第一絶縁カバー４１の第一側板４１１のうち、第二方向Ｄ２に距離をあけた二箇所には、突片５１１が引っ掛かるための切欠き４１１５が形成されている。切欠き４１１５は、第一側板４１１の一部が孔状（一実施形態では角孔状）に切り欠かれた部分である。各箇所の切欠き４１１５に対して、対応する突片５１１が挿入されることにより、第一絶縁カバー４１がケース２の底壁２０に沿って第二方向Ｄ２に移動することが、規制される。
【００５０】
第一側壁２１の各個所において、突片５１３は、突片５１１の下側（つまり底壁２０に近い側）に位置する。
【００５１】
各箇所の突片５１３は、ケース２の内側に向けて折られることで、第二絶縁カバー４２に引っ掛かり、また、回路基板３に引っ掛かるように構成されている。
【００５２】
第二絶縁カバー４２の第一側板４２１のうち、第二方向Ｄ２に距離をあけた二箇所には、孔状の切欠き４２１５が形成されている。各箇所の切欠き４２１５に対して、対応する突片５１３が挿入されることにより、第二絶縁カバー４２が底壁２０に沿って第二方向Ｄ２に移動することが規制される。
【００５３】
また、切欠き４２１５を通じて内側に挿入された突片５１３が、第一面３１の第一方向Ｄ１の端縁部に当たることにより、回路基板３が上側（つまり底壁２０から離れる側）に移動することが規制される。
【００５４】
次に、ケース２の第二側壁２２に対して、絶縁カバー４（第一絶縁カバー４１及び第二絶縁カバー４２）を取り付けるための構造について説明する。
【００５５】
第二側壁２２には、複数の突片５２１と、複数の突片５２３が形成されている。突片５２１と突片５２３は、それぞれケース２の内側に向けて突出するように切り起こされる部分である。
【００５６】
これらの突片５２１，５２３のそれぞれが、第二側壁２２に対する絶縁カバー４の移動を規制する第二規制部５２を構成する。第二規制部５２は、第二側壁２２のうち、底壁２０に近い端部と底壁２０から遠い端部を除いた領域に、形成される。
【００５７】
一実施形態においては、第二側壁２２のうち第二方向Ｄ２に距離をあけた二箇所において、突片５２１と突片５２３が形成されている。第二側壁２２の各箇所では、Ｅ字状の貫通溝２２５を設けることで、突片５２１と突片５２３が第三方向Ｄ３に距離をあけて並ぶように形成されている。
【００５８】
第二方向Ｄ２に距離をあけて位置する二つの突片５２１の関係において、両突片５２１は、互いに離れる方向に突出している。第二方向Ｄ２に距離をあけて位置する二つの突片５２３の関係において、両突片５２３は、互いに離れる方向に突出している。
【００５９】
各箇所の突片５２１は、ケース２の内側に向けて折られることで、第一絶縁カバー４１に引っ掛かり、第一絶縁カバー４１の移動を規制するように構成されている。
【００６０】
第一絶縁カバー４１の第二側板４１２のうち、第二方向Ｄ２に距離をあけた二箇所には、突片５２１が引っ掛かるための切欠き４１２５が形成されている。切欠き４１２５は、第二側板４１２の一部が孔状（一実施形態では角孔状）に切り欠かれた部分である。各箇所の切欠き４１２５に対して、対応する突片５２１が挿入されることにより、第一絶縁カバー４１がケース２の底壁２０に沿って第二方向Ｄ２に移動することが、規制される。
【００６１】
第二側壁２２の各個所において、突片５２３は、突片５２１の下側（つまり底壁２０に近い側）に位置する。
【００６２】
各箇所の突片５２３は、ケース２の内側に向けて折られることで、第二絶縁カバー４２に引っ掛かり、また、回路基板３に引っ掛かるように構成されている。
【００６３】
第二絶縁カバー４２の第二側板４２２のうち、第二方向Ｄ２に距離をあけた二箇所には、孔状の切欠き４２２５が形成されている。各箇所の切欠き４２２５に対して、対応する突片５２３が挿入されることにより、第二絶縁カバー４２が底壁２０に沿って第二方向Ｄ２に移動することが規制される。
【００６４】
また、切欠き４２２５を通じて内側に挿入された突片５２３が、第一面３１の第一方向Ｄ１の端縁部に当たることにより、回路基板３が上側に移動することが規制される。
【００６５】
以上のように、一実施形態の電源装置１においては、ケース２の第一側壁２１が、絶縁カバー４に引っ掛かるように構成された複数の第一規制部５１を有し、ケース２の第二側壁２２が、絶縁カバー４に引っ掛かるように構成された複数の第二規制部５２を有する。
【００６６】
複数の第一規制部５１は、第一絶縁カバー４１に引っ掛かる二つの突片５１１と、第二絶縁カバー４２に引っ掛かる二つの突片５１３を含む。複数の第二規制部５２は、第一絶縁カバー４１に引っ掛かる二つの突片５２１と、第二絶縁カバー４２に引っ掛かる二つの突片５２３を含む。
【００６７】
一実施形態の電源装置１においては、絶縁カバー４が底壁２０に沿って移動することを、ケース２の突片５１１，５１３，５２１，５２３を内側に折り曲げる簡単な工程で、効果的に規制することができる。そのため、一実施形態の電源装置１によれば、回路基板３に実装された複数の素子３５の絶縁性を、安定的に確保することができる。
【００６８】
（変形例）
電源装置１及び照明器具９の各種の変形例について、以下に説明する。なお、変形例の説明において、既に説明した構成と同様の構成については、同一符号を付して詳しい説明を省略する。
【００６９】
上記した電源装置１において、ケース２が有する複数の第一規制部５１は、複数の突片５１１，５１３で形成され、複数の第二規制部５２は、複数の突片５２１，５２３で形成されているが、第一規制部５１と第二規制部５２の構造はこれに限定されない。
【００７０】
例えば、図６Ａ、図６Ｂに示す変形例１において、第一規制部５１はブリッジ片５１５で形成され、第二規制部５２はブリッジ片５２５で形成されている。
【００７１】
変形例１において、ブリッジ片５１５は、板金製の第一側壁２１の一部が第一方向Ｄ１の内側（ケース２の内側）に向けて押し出された弧状の外形を有する。ブリッジ片５１５は、第一方向Ｄ１に弾性変形可能である。ブリッジ片５２５は、板金製の第二側壁２２の一部が第一方向Ｄ１の内側（ケース２の内側）に向けて押し出された弧状の外形を有する。ブリッジ片５２５は、第一方向Ｄ１に弾性変形可能である。
【００７２】
変形例１において、第一絶縁カバー４１の第一側板４１１には、ブリッジ片５１５が弾性的に嵌る開口部分（図示略）が形成され、第二側板４１２には、ブリッジ片５２５が弾性的に嵌る開口部分（図示略）が形成される。
【００７３】
変形例１では、一つのブリッジ片５１５と二つのブリッジ片５２５を、絶縁カバー４（第一絶縁カバー４１）に対して弾性的に引っ掛ける簡単な工程で、絶縁カバー４の移動を規制することができる。
【００７４】
変形例１では、第一規制部５１の個数（つまりブリッジ片５１５の個数）と、第二規制部５２の個数（つまりブリッジ片５２５の個数）が互いに相違するので、絶縁カバー４（第一絶縁カバー４１）を取り付けるときに向きを間違えることが防止される。
【００７５】
変形例１では図示を省略しているが、ケース２に対する第二絶縁カバー４２の移動を、第一絶縁カバー４１と同様に、ケース２に設けたブリッジ状の第一規制部５１と第二規制部５２で規制することも可能である。この場合も、第二絶縁カバー４２に引っ掛かる第一規制部５１と第二規制部５２の個数を相違させることが好ましい。
【００７６】
また、一実施形態と変形例１では、第一絶縁カバー４１と第二絶縁カバー４２を別体に設けているが、第一絶縁カバー４１と第二絶縁カバー４２を一体に設けることも可能である。この場合、例えば第一絶縁カバー４１を、第二絶縁カバー４２を開閉自在に閉じる蓋のように形成する。
【００７７】
また、一実施形態と変形例１では、ケース２が有する第一規制部５１と第二規制部５２を、絶縁カバー４に引っ掛かるように内側に向けて突出させているが、第一規制部５１と第二規制部５２の形態はこれに限定されない。例えば、絶縁カバー４が突片状又はブリッジ状の複数の突出部分を有してもよい。この場合、第一規制部５１が、これら複数の突出部分のうち少なくとも一つが引っ掛かる形状を有し、第二規制部５２が、複数の突出部分のうち少なくとも一つが引っ掛かる形状を有する。
【００７８】
また、電源装置１を備える照明器具９についても、上記のような構造に限定されない。一例として、照明器具９がパネル型の構造を有することも可能である。
【００７９】
（態様）
上記した実施形態及びこれの各種変形例から理解されるように、第１の態様の電源装置（１）は、以下の構成を備える。
【００８０】
第１の態様の電源装置（１）は、ケース（２）と回路基板（３）と絶縁カバー（４）とを備える。ケース（２）は、底壁（２０）と、底壁（２０）の端部から延長された第一側壁（２１）と、底壁（２０）の該端部とは反対側の端部から延長された第二側壁（２２）とを有し、底壁（２０）と対向する位置に開口（２９）が形成される。回路基板（３）は、点灯回路を構成する複数の素子（３５）が実装された回路基板であり、ケース（２）に収容される。絶縁カバー（４）は、回路基板（３）の開口（２９）を向く面（３１）を覆うように、ケース（２）に取り付けられる。第一側壁（２１）は、第一規制部（５１）を有する。第一規制部（５１）は、絶縁カバー（４）に引っ掛かることで、絶縁カバー（４）が底壁（２０）に沿って移動することを規制する。第二側壁（２２）は、第二規制部（５２）を有する。第二規制部（５２）は、絶縁カバー（４）に引っ掛かることで、絶縁カバー（４）が底壁（２０）に沿って移動することを規制する。
【００８１】
第１の態様の電源装置（１）によれば、回路基板（３）に実装された複数の素子（３５）の絶縁性を確保する絶縁カバー（４）を、ケース（２）に対して安定的に取り付けることができる。
【００８２】
第２の態様の電源装置（１）は、第１の態様との組み合わせにより実現される。第２の態様の電源装置（１）において、第一規制部（５１）は、第一側壁（２１）からケース（２）の内側に向けて突出する。第二規制部（５２）は、第二側壁（２２）からケース（２）の内側に向けて突出する。
【００８３】
第２の態様の電源装置（１）によれば、ケース（２）から突出する第一規制部（５１）と第二規制部（５２）を用いて、絶縁カバー（４）をケース（２）に対して安定的に取り付けることができる。
【００８４】
第３の態様の電源装置（１）は、第２の態様との組み合わせにより実現される。第３の態様の電源装置（１）において、第一規制部（５１）は、第一側壁（２１）の一部がケース（２）の内側に向けて切り起こされた形状の突片（５１１，５１３）である。第二規制部（５２）は、第二側壁（２２）の一部がケース（２）の内側に向けて切り起こされた形状の突片（５２１，５２３）である。
【００８５】
第３の態様の電源装置（１）によれば、ケース（２）から突片（５１１，５１３，５２１，５２３）を切り起こしたシンプルな構造で、絶縁カバー（４）をケース（２）に対して安定的に取り付けることができる。
【００８６】
第４の態様の電源装置（１）は、第２の態様との組み合わせにより実現される。第４の態様の電源装置（１）において、第一規制部（５１）は、第一側壁（２１）の一部がケース（２）の内側に向けて押し出された形状のブリッジ片（５１５）である。第二規制部（５２）は、第二側壁（２２）の一部がケース（２）の内側に向けて押し出された形状のブリッジ片（５２５）である。
【００８７】
第４の態様の電源装置（１）によれば、ケース（２）からブリッジ片（５１５，５２５）を押し出したシンプルな構造で、絶縁カバー（４）をケース（２）に対して安定的に取り付けることができる。
【００８８】
第５の態様の電源装置（１）は、第１から第４のいずれか一つの態様との組み合わせにより実現される。第５の態様の電源装置（１）において、第一側壁（２１）は、第一規制部（５１）を少なくとも一つ有する。第二側壁（２２）は、第二規制部（５２）を少なくとも一つ有する。第一規制部（５１）の個数と、第二規制部（５２）の個数は、互いに相違する。
【００８９】
第５の態様の電源装置（１）によれば、ケース（２）に対して絶縁カバー（４）を取り付けるときに、絶縁カバー（４）の向きを間違えることが防止される。
【００９０】
第１の態様の照明器具（９）は、第１から第５のいずれか一つの態様の電源装置（１）と、電源装置（１）からの電力供給で点灯する光源ユニット（９２）と、電源装置（１）と光源ユニット（９２）を支持する器具本体（９４）を備える。
【００９１】
第１の態様の照明器具（９）によれば、回路基板（３）の絶縁性が安定的に確保された照明器具（９）を、提供することができる。
【００９２】
以上、電源装置とこれを備える照明器具について、実施形態及び各種の変形例に基づいて説明したが、電源装置と照明器具は上述の構成に限定されず、同様の作用効果を奏する範囲内において、適宜に設計変更を行うことが可能である。
【符号の説明】
【００９３】
１  電源装置
２  ケース
２０  底壁
２１  第一側壁
２２  第二側壁
２９  開口
３  回路基板
３１  面（第一面）
３５  素子
４  絶縁カバー
５１  第一規制部
５１１  突片
５１３  突片
５１５  ブリッジ片
５２  第二規制部
５２１  突片
５２３  突片
５２５  ブリッジ片
９  照明器具
９２  光源ユニット
９４  器具本体
【図１】
2020021614.tif 000003
【図２】
2020021614.tif 000004
【図３】
2020021614.tif 000005
【図４】
2020021614.tif 000006
【図５】
2020021614.tif 000007
【図６】
2020021614.tif 000008